(57)【要約】      （修正有）【課題】浴槽自体の清掃に使われることの多いスポンジ体、あるいは浴場の洗い場の清掃に使用される大ブラシ、さらには排水口における髪の毛等を除去するヘアーキャッチ用小ブラシを単体にて、あるいは２つないし３つの組合せ状態にても浴場面に当接させることなく乾燥させることができ、衛生状態を保持するに好適な構成からなる清掃用具収納具を提供する。【解決手段】挿通孔３１を形成してなる浴槽清掃用スポンジ体３と、該浴槽清掃用スポンジ体３の挿通孔３１に挿入され該浴槽清掃用スポンジ体３を挿脱自在に支持する支持部材２３を基台２１上に立設してなるスタンド２とから清掃用具収納具１を構成する。【選択図】図１
0003159001.tif 000002
【実用新案登録請求の範囲】
【請求項１】
挿通孔を形成してなる浴槽清掃用スポンジ体と、該浴槽清掃用スポンジ体の挿通孔に挿入され該浴槽清掃用スポンジ体を挿脱自在に支持する支持部材を基台上に立設してなるスタンドとからなることを特徴とする清掃用具収納具。
【請求項２】
スタンドの支持部材上面より基台方向に収納孔を形成し、この収納孔内に浴槽排水口清掃用のヘアーキャッチ用ブラシを取付けてなるブラシ体の柄部を挿脱自在に収納支持してなることを特徴とする請求項１記載の清掃用具収納具。
【請求項３】
スタンドの基台下部には浴槽清掃用の大ブラシを着脱自在に取付けてなることを特徴とする請求項１、請求項２記載の清掃用具収納具。
【請求項４】
スタンドの基台に下面開口の収納部を形成し、この収納部内に浴槽清掃用大ブラシを浴場面と間隔を保持して収納するとともに、浴槽清掃用大ブラシの把手部はスタンドの基台底部より支持部材の基部方向に向かって形成される孔部に取付け取外し自在に嵌着されることを特徴とする請求項１、請求項２、請求項３記載の清掃用具収納具。
【請求項５】
挿通孔を形成してなる浴槽清掃用スポンジ体と、該浴槽清掃用スポンジ体の挿通孔に挿入され該浴槽清掃用スポンジ体を挿脱自在に支持する支持部材を基台上に立設してなるスタンドとを有するとともに、前記スタンドの支持部材上面より基台方向に収納孔を形成し、この収納孔内に浴槽排水口清掃用のヘアーキャッチ用ブラシを取付けてなるブラシ体の柄部を挿脱自在に収納支持し、さらに前記スタンドの基台下部には浴槽清掃用の大ブラシを着脱自在に取付けてなることを特徴とする請求項１乃至請求項４のいずれかに記載の清掃用具収納具。
【考案の詳細な説明】
【技術分野】
【０００１】
本考案は主として浴場における浴槽，洗い場，排水口等の清掃用具の保管のための収納具に関する。
【背景技術】
【０００２】
従来、浴場における清掃は浴槽にあってはスポンジ体，洗い場にあっては大ブラシ，排水口にあっては髪の毛等を除去するための小ブラシ、ピンセット等の清掃用具で行うのであるが、各用具の不使用時の保管にあってはそれぞれ別体にて浴場の片隅に置いたり、立てかけたりすることが通常であった。
【特許文献１】特開２００８−５５１３９号公報
【特許文献２】特開２００１−７８９４０号公報
【特許文献３】特開２００２−１１２８３６号公報
【考案の開示】
【考案が解決しようとする課題】
【０００３】
したがってスポンジ体、あるいはブラシ類にあっては常時ぬれた浴場面に当接していることから乾燥しにくく極めて不衛生な状態での保管状態を余儀なくされるとともに、それぞれ別体にて半場放置状態にて置かれていることから、不必要に場所を取り、限られた面積での浴場においてはデッドスペースが生ずることとなり、この種用具を衛生的でしかも整然とした状態で保管することは困難であった。
また、このような乱雑な保管状態であることから、使用するに際しても不衛生で雑菌、ばい菌だらけのスポンジ体、ブラシ類の使用を余儀なくされ、衛生面からもその抜本的な解決方策が待たれた。
【０００４】
本考案にあっては、浴槽自体の清掃に使われることの多いスポンジ体、あるいは浴場の洗い場の清掃に使用される大ブラシ、さらには排水口における髪の毛等を除去するヘアーキャッチ用小ブラシを単体にて、あるいは２つないし３つの組合せ状態にても浴場面に当接させることなく乾燥させることができ、衛生状態を保持するに好適な構成からなる清掃用具収納具を提供することを第一の目的とする。
【０００５】
本考案の第二の目的はそれぞれの清掃用具を不必要に場所をとることなく１つのスタンドに極めて機能的にコンパクトに収納することができ、その取出しにあってもスムースに行うことができる清掃用具収納具を提供することにある。
【課題を解決するための手段】
【０００６】
上記課題を解決するために、本考案の清掃用具収納具は、挿通孔を形成してなる浴槽清掃用スポンジ体と、該清掃用スポンジ体の挿通孔に挿入され清掃用スポンジ体を挿脱自在に支持する支持部材を基台上に立設してなるスタンドとからなることを特徴とするものである。
【０００７】
また、スタンドの支持部材上面より基台方向に収納孔を形成し、この収納孔内に浴槽排水口清掃用のヘアーキャッチ用ブラシを取付けてなるブラシ体の柄部を挿脱自在に収納支持してなることを特徴とするものである。
【０００８】
また、スタンドの基台下部には浴槽清掃用の大ブラシを着脱自在に取付けてなることを特徴とするものである。
【０００９】
また、スタンドの基台に下面開口の収納部を形成し、この収納部内に浴槽清掃用大ブラシを浴場面と間隔を保持して収納するとともに、浴槽清掃用大ブラシの把手部はスタンドの基台底部より支持部材の基部方向に向かって形成される孔部に取付け取外し自在に嵌着されることを特徴とするものである。
【００１０】
また、挿通孔を形成してなる浴槽清掃用スポンジ体と、該浴槽清掃用スポンジ体の挿通孔に挿入され該浴槽清掃用スポンジ体を挿脱自在に支持する支持部材を基台上に立設してなるスタンドとを有するとともに、前記スタンドの支持部材上面より基台方向に収納孔を形成し、この収納孔内に浴槽排水口清掃用のヘアーキャッチ用ブラシを取付けてなるブラシ体の柄部を挿脱自在に収納支持し、さらに前記スタンドの基台下部には浴槽清掃用の大ブラシを着脱自在に取付けてなることを特徴とするものである。
【考案の効果】
【００１１】
挿通孔を形成してなる浴槽清掃用スポンジ体と、該浴槽清掃用スポンジ体の挿通孔に挿入され該浴槽清掃用スポンジ体を挿脱自在に支持する支持部材を基台上に立設してなるスタンドとからなることから、浴槽を清掃するスポンジ体は使用後は浴場面と完全に距離をおいてしかも安定した状態にて水きり乾燥させることができることから雑菌、ばい菌が除去され常時清潔なスポンジ体にて浴槽を清掃することができる。
【００１２】
スタンドの支持部材上面より基台方向に収納孔を形成し、この収納孔内に浴槽排水口清掃用のヘアーキャッチ用ブラシを取付けてなるブラシ体の柄部を挿脱自在に収納支持してなることから、排水口にたまった髪の毛等を取出したヘアーキャッチ用ブラシは付着した髪の毛等を除去後、ぬれた浴場面に放置されることなく整然とした状態で収納保管することができる。また浴場用スポンジ体と同様に好適な乾燥状態を得ることができることから、極めて衛生的である。さらに前述の浴槽用スポンジ体とともに一台のスタンドに機能的に収納することも可能であることから、収納効率もよく、デッドスペースが生ずる余地もなく極めて使い勝手が良い。
【００１３】
スタンドの基台下部には浴槽清掃用の大ブラシを取付けてなることから、スポンジ体、ヘアーキャッチ用ブラシ等浴場清掃に必要な全ての用具を１台のスタンドに組み込み収納することが可能となり、従来の如く濡れた状態の場合の片隅に放置されるという不衛生な事態は解消される。
【００１４】
浴場面と間隔を保持してスタンドの基台に下面開口の収納部を形成し、この収納部内に浴槽清掃用大ブラシを浴場面と間隔を保持して収納するとともに、浴槽清掃用大ブラシの把手部はスタンドの基台底部より支持部材の基部方向に向かって形成される孔部に取付け取外し自在に嵌着されることから、浴槽清掃用大ブラシはスポンジ体あるいはヘアーキャッチ用ブラシ類とともに確実に１台のスタンドに収納されることが可能であるとともにブラシ面は浴場面に接することなく保持されることから、これまた好適な乾燥状態を得ることができ衛生的である。
【００１５】
挿通孔を形成してなる浴槽清掃用スポンジ体と、該浴槽清掃用スポンジ体の挿通孔に挿入され該浴槽清掃用スポンジ体を挿脱自在に支持する支持部材を基台上に立設してなるスタンドとを有するとともに、前記スタンドの支持部材上面より基台方向に収納孔を形成し、この収納孔内に浴槽排水口清掃用のヘアーキャッチ用ブラシを取付けてなるブラシ体の柄部を挿脱自在に収納支持し、さらに前記スタンドの基台下部には浴槽清掃用の大ブラシを着脱自在に取付けてなることから、浴槽清掃用スポンジ体、ヘアーキャッチ用ブラシを取付けてなるブラシ体、大ブラシの三つの清掃具を一つの収納具に収納することができ、収納スペースが少なくてすむ。そして、清掃箇所に応じてそれぞれの清掃具を選択して効率よく使用することができる。
【図面の簡単な説明】
【００１６】
【図１】本考案の清掃用具収納具の第一の実施の形態を示す断面図。
【図２】図１に示す清掃用収納具の斜視図。
【図３】他の実施の形態のスポンジ体の断面図。
【図４】本考案の清掃用具収納具の第二の実施の形態を示す斜視図。
【図５】本考案の清掃用具収納具の第三の実施の形態を示す斜視図。
【図６】本考案の清掃用具収納具の第四の実施の形態を示す斜視図。
【考案を実施するための形態】
【００１７】
図１に示すのは、本考案の清掃用具収納具の第一の形態を示す断面図、図２は、図１に示す清掃用収納具の斜視図、図３は、他の実施の形態のスポンジ体の断面図、図４、図５図６は、本考案の清掃用収納具の他の実施の形態を示す斜視図である。
【００１８】
図１、図２に示す如く、本考案の清掃用具収納具１は、挿通孔３１を形成してなる浴槽清掃用スポンジ体３と、浴槽清掃用スポンジ体３の挿通孔３１に挿入され浴槽清掃用スポンジ体３を挿脱自在に支持する支持部材２３を基台２１上に立設してなるスタンド２からなる。また、スタンド２には、必要に応じて、ヘアーキャッチ用ブラシを取り付けてなるブラシ体４および浴場清掃用大ブラシ５が収納される。
【００１９】
浴槽清掃用スポンジ体３は、プラスチック樹脂や天然素材などからなる円筒状のスポンジ体であって、浴槽清掃用スポンジ体３の端面３２から端面３３に亘って、挿通孔３１が形成されている。そして、この挿通孔３１にスタンド２の支持部材２３が挿入されてスポンジ体３はスタンド２に支持されて収納されるようになっている。また、使用時には、スポンジ体３をスタンド２の支持部材２３から抜き取り浴槽清掃用スポンジ体３の側面３４や頂部３５が清掃部となる。尚、浴槽清掃用スポンジ体３は、浴槽の清掃に適することはもちろんであるが、浴場の床、壁、窓等様々の個所の清掃に用いることができ、浴場に限らず、洗面所、台所等種々の場所で用いることができる。
【００２０】
尚、スポンジ体３に変えて、図３に示すスポンジ体６を収納してもよい。スポンジ体６は、プラスチック樹脂や天然素材などからなる円筒状のスポンジ体であって、浴槽清掃用スポンジ体６の端面６２から端面６３に亘って、挿通孔６１が形成されている。そして、挿通孔６１内方には、中空状のホース体６５が接着されて、挿通孔６１を確保するとともに、スポンジ体６の強度を向上させるようになっている。
【００２１】
スタンド２は、基台２１と、基台２１上に立設される、支持部材２３とからなる。柱状の支持部材２３は、スポンジ体３の挿通孔３１より小径に形成されてなることから、スポンジ体３の挿通孔３１に挿脱自在であり、スポンジ体３を支持するようになっている。特に、支持部材２３の基部２５を段状に形成されているので、スポンジ体３の端面３３の中央部を支持し、スポンジ体３の端面３３が基台２１に密接するのを防ぎ、スポンジ体３の通気性を良くするようになっている。尚、支持部材２３をスポンジ体３の挿通孔３１よりさらに小径にすれば、スポンジ体３と支持部材２３の間に間隙が形成され通気性が向上する。
【００２２】
また、支持部材２３、支持部材２３上面より基台２１方向に収納孔２４が形成されてなる。支持部材２３の収納孔２４は、ブラシ体４の柄部４１より大径に形成されてなることから、この収納孔２４内に、浴槽排水口清掃用のヘアーキャッチ用ブラシ４２を取り付けてなるブラシ体４の柄部４１を挿脱自在に収納支持するようになっている。
【００２３】
さらに、基台２１には基台２１から垂下する脚部２２が形成され、基台２１下部に、下面開口の収納部２８が形成されている。また、脚部２２には、複数のスリット２７が形成され、収納部２８内の水溜まりを防ぎ、収納部２８内に収納される浴場清掃用の大ブラシ５の通気性を良くするようになっている。
【００２４】
この収納部２８内には、浴場清掃用の大ブラシ５が浴場面と間隔を保持して収納されるようになっている。基台２１には、基台２１底部より支持部材２３の基部２５に向かって形成される孔部２６が形成され、この凹状の孔部２６に浴場清掃用の大ブラシ５の把手部５２が取り付け取り外し自在に嵌着されるようになっている。尚、浴場清掃用の大ブラシ５の取り付け手段は、孔部２６に限られるものではなく、接着手段、磁着手段によってもよい。
【００２５】
ブラシ体４は、浴槽排水口や、浴場排水口さらには、タイル間の目地や、窓の桟などの細部を清掃するのに適した小型のブラシであり、柄部４１の先端部に髪の毛や塵を絡め取りやすい毛足の短いヘアーキャッチ用ブラシ４２が連設されている。そして、ブラシ体４のこの柄部４１が収納孔２４に内に挿脱自在に収納支持されるようになっている。
【００２６】
浴場清掃用の大ブラシ５は、浴場の床、壁などの比較的面積の広い個所を清掃するのに適したブラシ体４より大型のブラシであり、基盤５１に浴場清掃用ブラシ５３が取り付けられている。また、基盤５１には、把手部５２が形成されており、把手部５２は、収納時には孔部２６と嵌着される嵌着部として機能し、使用時には取っ手として機能し、スタンド２に孔部２６を介して取り付け取り外し自在に嵌着されるようになっている。
【００２７】
このような構成にしたことから、浴室を清掃するときには、スポンジ体３、ブラシ体４、浴場清掃用の大ブラシ５を清掃個所の形状、材質に応じて選択して使用することができ、これら浴場清掃用の大ブラシ５を一つの収納具に収納することができる。
【００２８】
図４に示すのは、本考案の清掃用具収納具の第二の実施の形態である。この清掃用具収納具は、挿通孔８１を形成してなる浴槽清掃用スポンジ体８と、浴槽清掃用スポンジ体８の挿通孔８１に挿入され浴槽清掃用スポンジ体８を挿脱自在に支持する支持部材７２を基台７１上に立設してなるスタンド７からなる。また、スタンド７には、必要に応じて、ヘアーキャッチ用ブラシを取り付けてなるブラシ体４が収納される。
【００２９】
浴槽清掃用スポンジ体８は、プラスチック樹脂や天然素材などからなる円筒状のスポンジ体であって、浴槽清掃用スポンジ体８の端面８２から端面８３に亘って、挿通孔８１が形成されている。そして、この挿通孔８１にスタンド７の支持部材７２が挿入されてスポンジ体８はスタンド７に支持されて収納されるようになっている。また、使用時には、スポンジ体８をスタンド７の支持部材７２から抜き取り浴槽清掃用スポンジ体８の側面８４や頂部８５が清掃部となる。さらに、浴槽清掃用スポンジ体８の側面８４には、複数の通気孔８６が形成されていて、スポンジ体８の通気性を良くするようになっている。
【００３０】
スタンド７は、円盤状の基台７１と、基台７１上に立設される、支持部材７２とからなる。柱状の支持部材７２は、スポンジ体８の挿通孔８１より小径に形成されてなることから、スポンジ体８の挿通孔８１に挿脱自在であり、スポンジ体８を支持するようになっている。特に、支持部材７２には不図示のストッパーが段状に形成されているので、スポンジ体８の端面８３の中央部を支持し、スポンジ体８の端面８３が基台７１に密接するのを防ぎ、スポンジ体８の通気性を良くするようになっている。
【００３１】
図５に示すのは、本考案の清掃用具収納具の第三の実施の形態である。この清掃用具収納具は、挿通孔を形成してなる浴槽清掃用スポンジ体９と、浴槽清掃用スポンジ体９の挿通孔９１に挿入され浴槽清掃用スポンジ体９を挿脱自在に支持する支持部材７２を基台７１上に立設してなるスタンド７からなる。また、スタンド７には、必要に応じて、ヘアーキャッチ用ブラシを取り付けてなるブラシ体４が収納される。
【００３２】
浴槽清掃用スポンジ体９は、プラスチック樹脂や天然素材などからなる角柱状のスポンジ体であって、浴槽清掃用スポンジ体９の端面９２から端面９３に亘って、挿通孔９１が形成されている。そして、この挿通孔９１にスタンド７の支持部材７２が挿入されてスポンジ体９はスタンド７に支持されて収納されるようになっている。また、使用時には、スポンジ体９をスタンド７の支持部材７２から抜き取り浴槽清掃用スポンジ体９の側面９４や頂部９５さらには各頂部が清掃部となる。さらに、浴槽清掃用スポンジ体９の端面９２は、湾曲凹状に形成されてなり、水道の蛇口や、風呂用品等湾曲部を有する部分を清掃するのに適した形状となっている。
【００３３】
図６に示すのは、スタンド７４の基台７５を角盤状に形成し、基台７５上に支持部材７６を立設した清掃用具収納具であり、他の構成は、図５に示す清掃用具収納具と同様である。このようにスタンドの基台の形状は様々な形状にすることができる。
【００３４】
また、これらの清掃用収納具を覆う不図示のカバー部材を配設してもよい。カバー部材により、一時的に清掃用具を覆い隠すことができ、美観にも優れる。
【００３５】
上述したように、本考案の清掃用具収納具について、４つの実施の形態を示したが、スポンジ体とスタンドの組み合わせの選択は自由に行うことができ、いずれかの形状のスポンジ体と、いずれかの形状のスタンドを組み合わせてもよい。
【００３６】
また、清掃用具収納具は、浴場、浴槽の他、洗面所、台所等他の清掃場所で用いることができることは、もちろんのことである。
【符号の説明】
【００３７】
１    清掃用具収納具
２    スタンド
２１    基台
２２    脚部
２３    支持部材
２４    収納孔
２５    基部
２６    孔部
２８    収納部
２７    スリット
３      スポンジ体
３１    挿通孔
３２    端面
３３    端面
３４    側面
３５    頂部
４      ブラシ体
４１    柄部
４２    ヘアーキャッチ用ブラシ
５      大ブラシ５
５１    基盤
５２    把手部
５３    浴場清掃用ブラシ
６      スポンジ体
６１    挿通孔
６２    端面
６３    端面
６４    側面
６５    ホース体
７      スタンド
７１    基台
７２    支持部材
７３    収納孔
７４    スタンド
７５    基台
７６    支持部材
８      スポンジ体
８１    挿通孔
８２    端面
８３    端面
８４    側面
８５    頂部
８６    通気孔
９      スポンジ体
９１    挿通孔
９２    端面
９３    端面
９４    側面
９５    頂部
【図１】
0003159001.tif 000003
【図２】
0003159001.tif 000004
【図３】
0003159001.tif 000005
【図４】
0003159001.tif 000006
【図５】
0003159001.tif 000007
【図６】
0003159001.tif 000008
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
挿通孔を形成してなる浴槽清掃用スポンジ体と、該浴槽清掃用スポンジ体の挿通孔に挿入され該浴槽清掃用スポンジ体を挿脱自在に支持する支持部材を基台上に立設してなるスタンドとからなることを特徴とする清掃用具収納具。
【請求項２】
スタンドの支持部材上面より基台方向に収納孔を形成し、この収納孔内に浴槽排水口清掃用のヘアーキャッチ用ブラシを取付けてなるブラシ体の柄部を挿脱自在に収納支持してなることを特徴とする請求項１記載の清掃用具収納具。
【請求項３】
スタンドの基台下部には浴槽清掃用の大ブラシを着脱自在に取付けてなることを特徴とする請求項１または請求項２記載の清掃用具収納具。
【請求項４】
スタンドの基台に下面開口の収納部を形成し、この収納部内に浴槽清掃用大ブラシを浴場面と間隔を保持して収納するとともに、浴槽清掃用大ブラシの把手部はスタンドの基台底部より支持部材の基部方向に向かって形成される孔部に取付け取外し自在に嵌着されることを特徴とする請求項１乃至請求項３のいずれか一項に記載の清掃用具収納具。
【請求項５】
挿通孔を形成してなる浴槽清掃用スポンジ体と、該浴槽清掃用スポンジ体の挿通孔に挿入され該浴槽清掃用スポンジ体を挿脱自在に支持する支持部材を基台上に立設してなるスタンドとを有するとともに、前記スタンドの支持部材上面より基台方向に収納孔を形成し、この収納孔内に浴槽排水口清掃用のヘアーキャッチ用ブラシを取付けてなるブラシ体の柄部を挿脱自在に収納支持し、さらに前記スタンドの基台下部には浴槽清掃用の大ブラシを着脱自在に取付けてなることを特徴とする清掃用具収納具。